(57)【要約】【課題】本発明は、リール保持枠内に大リールと小リールを設けることにより、小型化、部品点数の削減及び安全性の向上を達成することを目的とする。【解決手段】本発明によるケーブルドラムは、リール保持枠(1)内に大リール(4)と小リール(10)を有し前記リール保持枠(1)に回転自在に設けられた回転軸(5)と、前記大リール(4)の一対の大リール用サイドプレート(7,8)の一方に形成された穴(25)と、前記穴(25)を経て前記大リール(4)及び小リール(10)に巻回されたケーブル(9)とを備え、前記ケーブル(9)と各リール(4,10)が前記リール保持枠(1)の内側に配設されている構成である。【選択図】図２
2006021890.tif 000002
【特許請求の範囲】
【請求項１】
全体形状が枠形をなし脚部(3)を有するリール保持枠(1)と、前記リール保持枠(1)に回転自在に設けられハンドル(6)を前記リール保持枠(1)の外部に有する回転軸(5)と、前記回転軸(5)に固定して設けられ前記リール保持枠(1)の内側に位置する大リール(4)及び前記大リール(4)よりも小径の小リール(10)と、前記大リール(4)に設けられた１対の大リール用サイドプレート(7,8)と、前記小リール(10)の外側に設けられ前記大リール用サイドプレート(7,8)よりも小径の小リール用サイドプレート(11)とを備え、前記大リール(4)及び小リール(10)には１本の連続したケーブル(9)が巻回されていることを特徴とするケーブルドラム。
【請求項２】
前記大リール(4)と小リール(10)間の前記大リール用サイドプレート(7,8)には穴(25)が形成され、前記大リール(4)に巻回された前記ケーブル(9)が前記穴(25)を貫通して前記小リール(10)に案内して巻回されていることを特徴とする請求項１記載のケーブルドラム。
【請求項３】
前記ケーブル(9)の両端には、ケーブル(9)を固定するためのケーブル固定用ひも(40,41)が設けられていることを特徴とする請求項１記載のケーブルドラム。
【発明の詳細な説明】
【技術分野】
【０００１】
本発明は、ケーブルドラムに関し、特に、大リールと小リールをリール保持枠の内側に配設し、ドラム転倒時の各リールの損傷を防止し、サイドプレートの数を少なくし、ケーブルの巻回を容易化し、安全性の向上、省スペース化、低コスト化を達成するための新規な改良に関する。
【背景技術】
【０００２】
従来、用いられていたこの種のケーブルドラムとしては、社内製作のみであるため特許文献等は開示していないが、図５から図７で示す構成を挙げることができる。
すなわち、図５から図７において符号１で示されるものは全体形状が枠形をなすリール保持枠であり、このリール保持枠１の基部２の下部には複数のキャスタ３が設けられている。
【０００３】
前記リール保持枠１内には大リール４を有する筒状の回転軸５が回転自在に軸支されており、この回転軸５にはハンドル６が設けられている。
前記大リール４は、一対の大リール用サイドプレート７、８により構成され、この大リール４にはケーブル９が巻回できるように構成されている。
【０００４】
前記リール保持枠１から突出した前記回転軸５の突出部５ａには、前記大リール４よりも小径の小リール１０が固定して設けられている。
前記小リール１０には、一対の小リール用サイドプレート１１、１２が設けられている。
【０００５】
前記ケーブル９は、前記回転軸５の中空部５ａを貫通してこの回転軸５のほぼ中央位置に形成された開口５ｂから大リール４内へ案内され、このケーブル９の一端９ａ側はこの大リール４に５０〜６０ｍ分が巻回されていると共に、その他端９ｂ側は前記小リール１０に５〜６ｍ分が巻回されている。
【０００６】
前述の構成において、大リール４に巻回されたケーブル９の一端９ａは、例えば、発射制御器側２０に接続され、その他端９ｂは小リール１０からはずして引出し遠隔操作器側２１に接続される。
前記遠隔操作器側２１でケーブル９を介して前記発射制御器側２０に信号を送信し、発射制御を行うことができる。
【発明の開示】
【発明が解決しようとする課題】
【０００７】
従来のケーブルドラムは、以上のように構成されていたため、次のような課題が存在していた。
すなわち、小リールがリール保持枠の外側に位置しているため、装置全体が大形化するとともに、サイドプレートが４個必要となり、部品点数の低減が困難であった。
また、ケーブルを各リールに巻回する場合、回転軸内を貫通させてケーブルを案内しなければならず、回転軸の構造が複雑化し、ケーブルの巻回にも手間がかかっていた。
また、リール保持枠の外側に小リールが位置しているため、ケーブルドラムが転倒した場合、小リールが破損する場合があった。
【課題を解決するための手段】
【０００８】
本発明によるケーブルドラムは、全体形状が枠形をなし脚部を有するリール保持枠と、前記リール保持枠に回転自在に設けられハンドルを前記リール保持枠の外部に有する回転軸と、前記回転軸に固定して設けられ前記リール保持枠の内側に位置する大リール及び前記大リールよりも小径の小リールと、前記大リールに設けられた１対の大リール用サイドプレートと、前記小リールの外側に設けられ前記大リール用サイドプレートよりも小径の小リール用サイドプレートとを備え、前記大リール及び小リールには１本の連続したケーブルが巻回されている構成であり、また、前記大リールと小リール間の前記大リール用サイドプレートには穴が形成され、前記大リールに巻回された前記ケーブルが前記穴を貫通して前記小リールに案内して巻回されている校正であり、また、前記ケーブルの両端には、ケーブルを固定するためのケーブル固定用ひもが設けられている構成である。
【発明の効果】
【０００９】
本発明によるケーブルドラムは、以上のように構成されているため、次のような効果を得ることができる。
すなわち、大リールと小リールがリール保持枠の内側に位置しているため、装置全体が小型化され、サイドプレートも１個削減でき、部品点数も低減できる。
また、ケーブルを大リールと小リールに巻回する場合は、大リールの一方のサイドプレートに形成した穴を通すだけでよく、ケーブルの巻回が容易となった。
また、リール保持枠の内側に小リールが位置しているため、ケーブルドラムが転倒した場合でも、小リールの損傷を防止できる。
従って、安全性の向上、小型化、部品点数の削減による低価格化等を達成することができる。
【発明を実施するための最良の形態】
【００１０】
本発明は、リール保持枠内に大リールと小リールを設け、小型化、部品点数の削減及び安全性の向上を達成することを目的とする。
【実施例】
【００１１】
以下、図面と共に本発明によるケーブルドラムの好適な実施の形態について説明する。
尚、従来例と同一又は同等部分には同一符号を付して説明する。
図１から図４において符号１で示されるものは、全体形状が枠形をなすリール保持枠であり、このリール保持枠１の基部の両側には一対の脚部３が設けられている。
【００１２】
前記リール保持枠１内には、大リール４及びこの大リール４よりも小径の小リール１０を有する回転軸５が回転自在に軸支されており、この回転軸５にはリール保持枠１の外側に位置するハンドル６が設けられている。
【００１３】
前記大リール４は、一対の大リール用サイドプレート７、８により構成され、この大リール４にはケーブル９が巻回できるように構成されている。
前記大リール４の隣には、小リール１０を構成するための小リール用サイドプレート１１が設けられ、前記各大リール用サイドプレート７、８の中の一方の大リール用サイドプレート７は小リール１０用の一方のサイドプレートを構成している。
【００１４】
前記大リール４の前記大リール用サイドプレート７には、図３で示されるような穴２５が形成されており、ケーブル９はこの穴２５を介して大リール４と小リール１０間を案内できるように構成されている。
【００１５】
前記大リール４に案内されたケーブルの一端９ａが、図２のケーブルクリップ２６でクリップされた後に、大リール４の外周に巻回され、このケーブル９の他端９ｂ側は前記小リール１０の外周に巻回され、前記各リール４、１０からほどかれた前記一端９ａ及び他端９ｂは、発射制御器側２０及び遠隔操作器側２１に接続されている。
【００１６】
前記ケーブル９の一端９ａ及び９ｂには、コネクタ３０、３１及びケーブル固定用ひも４０、４１が設けられており、このケーブル固定用ひも４０、４１は、何れかのリール４、１０のケーブル９を引出す時に、片方のリール４又は１０のケーブル９の一端９ａか他端９ｂをケーブル固定用の穴４ａ又は１０ａに接続して固定するために設けられている。
【００１７】
尚、大リール４のケーブル９を引出した後、小リール１０のケーブル９を引出す場合には、この小リール１０を回転させるのではなく、手で他端９ｂを持って手作業でほどくようにして引出すことになる。
【産業上の利用可能性】
【００１８】
本発明は、ケーブルに限らず、ホースにも適用可能である。
【図面の簡単な説明】
【００１９】
【図１】本発明によるケーブルドラムを示す正面図である。
【図２】図１の右側面図である。
【図３】図２のＡ−Ａ断面図である。
【図４】図１の背面図である。
【図５】従来構成を示す平面断面図である。
【図６】図５の右側面図である。
【図７】図５の正面図である。
【符号の説明】
【００２０】
１    リール保持枠
３    脚部
４    大リール
５    回転軸
６    ハンドル
７、８    大リール用サイドプレート
９    ケーブル
９ａ    一端
９ｂ    他端
１０    小リール
２０    発射制御器側
２１    遠隔操作器側
２５    穴
４０、４１    ケーブル固定用ひも
【図１】
2006021890.tif 000003
【図２】
2006021890.tif 000004
【図３】
2006021890.tif 000005
【図４】
2006021890.tif 000006
【図５】
2006021890.tif 000007
【図６】
2006021890.tif 000008
【図７】
2006021890.tif 000009